(57)【要約】  【課題】  スーツケースの上部両側に設けた互いに開錠条件が相違する錠と、各錠の操作キーとにそれぞれ同じ目印部を設けて操作性および施錠効果を高める。  【解決手段】下部をヒンジで回動可能に連結し上部をロックするスーツケース１に設けた把手部７の近辺にナンバーロック９を設け、該把手部の外側にそれぞれ錠を具えたスーツケースの前記第１、２の錠５ａ，５ｂは互いに相違し、前記錠と合致して開閉させる第１、２の操作キー６ａ，６ｂが互いに相違する。一方の錠５ａおよび操作キー６ａにそれぞれ第１の目印部１１ａおよび第１の目印部片１２ａを設け、他方の第２の錠５ｂおよび第２の操作キー６ｂに、前記第１の目印部１１ａと相違する第２の目印部１１ｂを設けてある。合致する錠と操作キーと同じ目印部を設けたので簡単に合致させることができ、互いに相違する錠を設けて施錠効果を高める。【選択図】  図１
0003135983.tif 000002
【実用新案登録請求の範囲】
【請求項１】
内部にそれぞれ収容室を有した本体ケース（２）と蓋体ケース（３）の一面にそれぞれ設けた開口部を合致させ、該開口部の一側部である下部をヒンジで回動可能に連結すると共に、他側部である上部をロックする本体ケース（２）の上部中央に設けた把手部（７）の近辺にナンバーロック（９）を設け、該把手部の両外側にそれぞれ第１、２の錠（５ａ，５ｂ）を具えたスーツケース（１）において、
前記第１、２の錠（５ａ、５ｂ）は互いに施錠条件が相違して異なる錠であり、さらに前記各錠（５ａ，５ｂ）と合致させて開閉する第１、２の操作キー（６ａ，６ｂ）が互いに相違することを特徴とするスーツケースの施錠装置。
【請求項２】
互いに合致させる一方の前記錠（５ａ）および操作キー（６ａ）に、それぞれ第１の目印部（１１ａ）および第１の目的部片（１２ａ）を設け、他方の前記第２の錠（５ｂ）および第２の操作キー（６ｂ）に、前記第１の目印部（１１ａ）と相違する第２の目印部（１１ｂ）および第２の目的部片（１２ｂ）を設けてなることを特徴とする請求項１記載のスーツケースの施錠装置。
【請求項３】
前記第１および第２の錠（５ａ，５ｂ）または錠の近辺に設けた第１および第２の目印部（１１ａ，１１ｂ）は、互いに区別できるように色が相違する着色部または形状が相違する突起部を設けてなることを特徴とする請求項２記載のスーツケースの施錠装置。
【請求項４】
前記第１および第２の操作キー（６ａ，６ｂ）に設けた第１および第２の着色部片（１２ａ，１２ｂ）は、互いに区別できるように色が相違する着色部または形状が相違する突起部を設けてなることを特徴とする請求項２記載のスーツケースの施錠装置。
【考案の詳細な説明】
【技術分野】
【０００１】
本考案は、スーツケースに設ける左右の錠を互いに異なる錠を設けることにより施錠機能を高めると共に、各錠の開閉の操作性を向上させたスーツケースの施錠装置に関するものでる。
【背景技術】
【０００２】
従来、例えば合成樹脂製のスーツケースは、それぞれ内部に収容室を設けて一面にそれぞれ開口部を有した本体ケースと蓋体ケースとから構成され、両ケースの開口部を合致させると共に開口部に一側端である下部を開閉可能にヒンジで連結し、さらに開口部の他側端である上部をロックし、このロック部分に施錠手段を設けて構成している。そして、この両ケースの上部中央部分に施錠手段である公知のダイヤルロック（ナンバーロック）を装着してスーツケースのセキュリティーを図っている（例えば、特許文献１参照）。
【０００３】
また、本体ケースと蓋体ケースの下部を開閉可能にヒンジで連結したスーツケースの上部をロックしてその両側部分に、シリンダ錠をそれぞれ具えた施錠手段を設けたものもある（例えば、特許文献２参照）。さらに、１つのダイヤルロックと２つのシリンダ錠を組み合わせて、スーツケースの開閉部分に３個の錠を装着することにより、複数の錠を具えてセキュリティーを高めているものもある（例えば、特許文献３参照）。
【特許文献１】実開平５−１１８２８号公報（図２，３）
【特許文献２】登録実用新案第３０９３６５０号公報（図３）
【特許文献３】登録実用新案第３１２９３５１号公報（図３）
【考案の開示】
【考案が解決しようとする課題】
【０００４】
上記の特許文献３に示した従来のスーツケースは、本体ケースおよび蓋体ケースの開閉部分である上部に、種類の異なる複数の錠をそれぞれ装着してスーツケースの施錠機能を高めている。しかし、ダイヤルロック式の錠を具えたスーツケースを開閉する場合は、キーを使用する必要がなく、例えば、単に３桁の数字を組み合わせて所定の数列を設定し、ナンバーリングを回転させて所定の数列に合致させることにより開閉できるため、実用的で使い勝手がよく便利であり、キーを所持する必要がないので紛失する虞れがないという利点がある。
【０００５】
しかし、飛行場などにおける荷物の取り扱いが乱暴なため、強い衝撃を受けたりするとナンバーロックが故障や破損により開かなくなってしまったり、また、ナンバーリングをいたずらされて該スーツケースが開かなくなってしまうなどの問題点を有していた。そのため、旅なれた人はスーツケースに装着してあるダイヤルロック（ナンバーロック）は施錠しないか、簡単に開けられるようにしておき、通常はスーツケースの上部両側に設けたシリンダ錠やマグネットロックなどの錠を施錠して使用している。これによりナンバーロックが故障してスーツケースが開かなくなる事故を防いでいる。
【０００６】
他方、市場に出回っている数多くのスーツケースに使用されるシリンダ錠やマグネットロックなどの錠は、販売会社が相違してもその種類は少なく、ほとんど同じ錠を用いたものが多い。例えば、自転車に取り付けてあるキーはほとんど同じものであり、１つのキーで他の自転車の鍵を容易に開錠できるものが多いと云われている。しかも、スーツケースの上部両側に装着されたシリンダ錠やマグネットロックなどの錠は、左右同じものを使用していると、複数の前記錠を具えていても同じ錠であれば同じ操作キーで開錠できるため、セキュリティー機能が低かった。特に、外国から輸入して安価で販売されているスーツケースは、ほとんど左右の錠に同じ錠を使用している場合が多いといわれている。
【０００７】
本考案は、スーツケースの上部両側に装着するシリンダ錠やマグネットロックなどの錠を左右別の錠にし、同じ操作キーで両方の錠が開閉できないようにしてセキュリティー機能を高め、さらに、スーツケースの上部両側に設けた錠とそれに使用する操作キーにそれぞれ同じ目印部および目印部片を設けることにより、開閉操作を容易にして使用しやすくてセキュリティー機能を高めたスーツケースを提供するものである。
【課題を解決するための手段】
【０００８】
上記課題を解決するため、本考案は、内部にそれぞれ収容室を有した本体ケース２と蓋体ケース３の一面にそれぞれ設けた開口部を合致させ、該開口部の一側端である下部をヒンジで回動可能に連結すると共に、他側端である上部をロックする本体ケース２の上部中央に設けた把手部７の近辺にナンバーロック９を設け、該把手部の両外側にそれぞれ第１、２の錠５ａ，５ｂを具えたスーツケース１において、前記第１、２の錠５ａ，５ｂは互いに施錠条件が相違して異なる錠状であり、さらに前記各錠５ａ，５ｂと合致して開閉する第１、２の操作キー６ａ、６ｂが互いに相違することを特徴とする。また、互いに合致させる一方の前記錠５ａおよび操作キー６ａに、それぞれ第１の目印部１１ａおよび第１の目的部片１２ａを設け、他方の前記第２の錠５ｂおよび第２の操作キー６ｂに、前記第１の目印部１１ａと相違する第２の目印部１１ｂおよび第２の目的部片１２ｂを設けてある。さらに、前記第１および第２の錠５ａ，５ｂまたは錠の近辺に設けた第１および第２の目印部１１ａ，１１ｂは、互いに区別できるように色が相違する着色部または形状が相違する突起部を設けてある。さらにまた、前記第１および第２の操作キー６ａ，６ｂに設けた第１および第２の着色部片１２ａ，１２ｂは、互いに区別できるように色が相違する着色部または形状が相違する突起部を設けてある。
【０００９】
上記の構成であるから、スーツケースの上部両側にそれぞれシリンダ錠またはマグネットロックなどの錠を設けても、同じ操作キーで開錠できれば操作性はよい。しかし、一方の錠をあけた後、他方の錠も同じ操作キーで開いてしまえば複数錠を設けた意味がない。しかるに、スーツケースの両側に異なる錠を設けた場合、たとえ一方の錠が開いても、他方の錠は少なくとも同じ操作キーで開錠することができず、セキュリティーを高める作用を有する。しかし異なる操作キーを使用するため、それぞれ適合する錠と合致させる操作が必要となるため、施錠または開錠のための操作性が低下するという問題点があった。それ故、同じ錠と操作キーを容易に合致させる工夫が必要となり、そのためそれぞれ同じ目印部を設けたものである。
【００１０】
目印部として、色違いの着色部の他に例えば特殊な形状をした突起部を設け、または接着固定してあれば、目が不自由でも錠および操作キーに設けた突起部からなる目印部に触ることにより簡単に同じ錠および操作キーであることを確認することができ、操作性を高めることができる。
【考案の効果】
【００１１】
本考案は、スーツケースに互いに開錠条件が異なるシリンダ錠またはマグネットロックなどの複数の錠を設けたことによりセキュリティー機能を高め、また、各錠に合致させて開閉するために互いに相違した操作キーにそれぞれ同じ目印部を設けることにより、互いに相違する錠と操作キーを容易に合致させて開閉できるので操作性が良好である。このように、互いに相違する複数の錠を設けて多段に施錠してあるため、左右の錠を同じ操作キーであける方式の従来のスーツケースに比べて、操作性を劣化させることなくセキュリティー機能を高めることができる。
【考案を実施するための最良の形態】
【００１２】
本考案を添付した図面を参照して詳細に説明すると、図１は、本考案の実施形態を示したスーツケースの正面側から見た斜視図、図２は、第１の錠に第１の操作キーを合致させる直前の状態を示す説明図、図３は、第２の錠に第２の操作キーを合致させる直前の状態を示す説明図。図４は、第２の錠に第２の操作キーを合致させて開錠させる状態を示した説明図である。
【００１３】
スーツケース１は、軽金属材または合成樹脂材で成形された本体ケース２と蓋体ケース３とから構成されている。本体ケース２は、左右面部と前後面部と底面部とを一体に形成して内部に収容室を形成して一面に開口部を有している。同様に、蓋体ケース３も、左右面部と前後面部と底面部とを一体に形成して内部に収容室を形成して一面に開口部を有し、両開口部の周囲を合致させるように向かい合わせて開閉可能に設けてある。
【００１４】
この本体ケース２及び蓋体ケース３の両開口部を向かい合わせにして両開口部の一側部である下方の両側部分をヒンジ（図示せず）で回動可能に連結し、該開口部の他側部である上方をロックするようにして上部の両側部分に施錠装置５を設けてある。このスーツケースは、横持用の第１の把手部７と、縦持用の第２の把手部（図示せず）と、キャスターを回転させながらスーツケースを走行させるため伸縮可能な第３の把手部（図示せず）を有し、さらに、底面四隅部にそれぞれ走行用のキャスター８を装着してある。この場合、第２、第３の把手部やキャスターを有しないスーツケースに実施することも可能である。
【００１５】
図１に示すように、前記スーツケースの上部中央に設けた第１の把手部７の近辺、例えば把手部の下側位置にダイヤル式の公知の錠であるナンバーロック９を設けてある。さらに、該把手部７の両外側位置に、公知のシリンダ錠やマグネットロックなどの錠からなり互いに開錠条件、即ち、開閉する錠の設定番号が相違して互いに操作キーが異なる第１、２の錠５ａ，５ｂをそれぞれ設けて施錠装置５を形成してある。
【００１６】
このように、スーツケースの施錠装置５は、少なくともそれぞれ開錠条件が相違して互いに異なる第１、２の錠５ａ，５ｂ、そして、前記第１、２の錠５ａ，５ｂを開閉する第１、２の操作キー６ａ，６ｂとからなるものである。そして、ナンバロック９を有しているのが好ましいが、有しなくてもよい。
【００１７】
前記第１および第２の錠５ａ，５ｂは、開錠条件が相違するが外形はほぼ同じ形状をしているものが好ましい。ここで、互いに錠が相違するとは、例えば、第１と第２の錠５ａ，５ｂの開錠条件、例えば、一方のシリンダ錠またはマグネットロックなどの錠の開錠パターンの種類を示すナンバーが「１」で、他方のシリンダ錠のナンバーが「３」であれば、互いに相違するため同じ操作キーで開錠できないことを意味し、セキュリティー効果が高まることを意味する。また、シリンダ錠やマグネットロックなどの錠のナンバーがともに「１」の場合は、同じ操作キーで両方の錠を開錠できることを意味する。このシリンダ錠は、該錠についているナンバーが相違すれば外形はほぼ同じでもそれぞれ操作キーが相違する。
【００１８】
互いに開錠条件が相違する錠を異なる操作キーで開錠する場合、各錠または該錠に接近した位置に、それぞれ異なる色で区別した第１の着色部１１ａおよび第２の着色部１１ｂを設けてある。また、該錠の近辺に位置する本体ケース又は錠の近辺に、外面に凹凸部を有した突起部（図示せず）や、半球状の突起部（図示せず）など突起形状を相違させて目の不自由な人が指先で触れて容易に判別できる作用を有する。同様に、前記した錠を開閉操作する第１、２の操作キー６ａ，６ｂにも、それぞれ同じ色にした第１の着色部片１２ａ、第２の着色部片１２ｂを設けたり、前記錠と同様の突起部を設けることによって、容易に錠と操作キーとを合致できるようにしてもよい。このように区別するための目印部は、互いに相違する目印部や形状の相違する突起部に限らずその他公知の方法で区別するようにしてもよいものである。
【００１９】
本体ケース２と蓋体ケース３の開口部を向かい合わせにして下部をヒンジで回動可能に連結し、上部に設けた施錠装置５は、把手部７の下方に位置してナンバーロック９を設け、さらに、このナンバーロック９の両側に位置して設けたシリンダ錠やマグネットロックなどの錠からなる第１、２の錠５ａ，５ｂを明らかに区別することができるよう、第１の目印部１１ａおよび第２の目印部１１ｂを設けたことにより一段と使用しやすくなる利点がある。
【００２０】
前記した第１目印部１１ａには、例えば、赤色の着色部または星型突起部を設け、また、第２の目印部１１ｂには、黄色の着色部又は半円状突起部を設けたことにより、この第１、２の目印部１１ａ、１１ｂは、直接目で見て判別したり、目の不自由な人が手で触って判別することもでき、これによりスーツケースを互いに相違する複数の錠５ａ，５ｂで施錠しても開錠のための操作性を劣化させることなく、セキュリティー効果を高めることができる利点を有する。
【図面の簡単な説明】
【００２１】
【図１】本考案の実施形態を示したスーツケースを正面側から見た斜視図である。
【図２】第１の錠に第１の操作キーを合致させる直前の状態を示す説明図である。
【図３】第２の錠に第２の操作キーを合致させる直前の状態を示す説明図である。
【図４】第２の錠に第２の操作キーを合致させて開錠させる状態を示した説明図である。
【符号の説明】
【００２２】
１      スーツケース
２      本体ケース
３      蓋体ケース
５      施錠装置
５ａ    第１の錠
５ｂ    第２の錠
６ａ    第１の操作キー
６ｂ    第２の操作キー
７      把手部
９      ナンバーロック
１１ａ    第１の目印部
１１ｂ    第２の目印部
１２ａ    第１の目印部片
１２ｂ    第１の目印部片
【図１】
0003135983.tif 000003
【図２】
0003135983.tif 000004
【図３】
0003135983.tif 000005
【図４】
0003135983.tif 000006